【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
ある時間にわたり発生する相互作用の数を表す表示を生成する方法であって、
一組の相互作用を定めるデータを受信するステップであり、前記相互作用の各々は第１の及び第２の相互作用要素と時間値とを識別する、ステップと、
前記の受信したデータにより識別される相互作用要素のための最初の順序付けを決定するステップと、
前記最初の順序付けを反復的に変更して、前記一組の相互作用の中の相互作用に対応する相互作用要素のペアの相対的位置の間の前記順序付けにおける距離のための距離値の標準偏差と視覚的重なりの測定値とを示す費用関数を最小化するステップと、
前記一組の相互作用からの個々の相互作用が、相互作用を定める第１の及び第２の相互作用要素の前記の決定された順序付けにおける位置と該相互作用に関連する時間値とに対応する座標をつなぐ線として表示される表示を生成するステップと、
を含む方法。
【請求項２】
前記の受信したデータにより識別される相互作用要素の前記最初の順序付けは、相互作用要素が前記の受信したデータの中で識別される回数に基づいて決定される順序付けを含む、請求項１記載の方法。
【請求項３】
前記の受信したデータにより識別される相互作用要素の前記最初の順序付けは、相互作用に関連する時間値に基づいて決定される順序付けを含む、請求項１記載の方法。
【請求項４】
前記の受信したデータにより識別される相互作用要素の前記最初の順序付けは、相互作用要素に関連する最も早い時間に対応する時間値に基づいて決定される順序付けを含む、請求項３記載の方法。
【請求項５】
前記の受信したデータにより識別される相互作用要素の前記最初の順序付けは、特定の相互作用要素に対する参照に関連する平均時間に対応する時間値に基づいて決定される順序付けを含む、請求項３記載の方法。
【請求項６】
前記最初の順序付けを反復的に変更して、前記一組の相互作用の中の相互作用に対応する相互作用要素のペアの相対的位置の間の前記順序付けにおける距離のための距離値の標準偏差と視覚的重なりの測定値とを示す費用関数を最小化するステップは、
前記最初の順序付けを反復的に変更して、前記一組の相互作用の中の相互作用に対応する相互作用要素のペアの相対的位置の間の前記順序付けにおける距離のための算出された距離値に基づいて費用関数を最小化することと、
さらに前記の決定された順序付けを変更して、相互作用のブロック間の視覚的重なりの範囲を低減することと、
を含む、請求項１記載の方法。
【請求項７】
前記の決定された順序付けを変更して、相互作用のブロック間の視覚的重なりの範囲を低減することは、
決定された順序付けについて、相互作用のブロック間の視覚的重なりの範囲の測定値を決定することと、
前記決定された順序付けを反復的に変更して、前記標準偏差を閾値を超えて増加させることなく視覚的重なりの範囲の測定値を低減することと、
を含む、請求項６記載の方法。
【請求項８】
前記の決定された順序付けを変更して、相互作用のブロック間の視覚的重なりの範囲を低減することは、重なりの範囲を測定する費用関数を最小化するように順序付けを決定することであって、前記費用関数は構成可能なパディングパラメータを含む、ことを含む、請求項６記載の方法。
【請求項９】
前記の受信したデータにより識別される相互作用要素の前記最初の順序付けは、視覚的重なりの範囲を測定する費用関数の最小化に基づいて決定される順序付けを含み、
前記最初の順序付けを反復的に変更することは、前記最初の順序付けを反復的に変更して、前記一組の相互作用の中の相互作用に対応する相互作用要素のペアの相対的位置の間の前記順序付けにおける距離のための距離値の標準偏差に対応する費用関数を最小化することを含む、
請求項１記載の方法。
【請求項１０】
前記最初の順序付けを反復的に変更して、前記一組の相互作用の中の相互作用に対応する相互作用要素のペアの相対的位置の間の前記順序付けにおける距離のための距離値の標準偏差に対応する費用関数を最小化することは、
前記最初の順序付けを反復的に変更して、視覚的重なりの測定値を閾値を超えて増加させることなく前記一組の相互作用の中の相互作用に対応する相互作用要素のペアの相対的位置の間の前記順序付けにおける距離のための距離値の標準偏差に対応する費用関数を最小化すること
を含む、請求項９記載の方法。
【請求項１１】
前記一組の相互作用からの個々の相互作用が、相互作用を定める第１の及び第２の相互作用要素の前記の決定された順序付けにおける位置と該相互作用に関連する時間値とに対応する座標をつなぐ線として表示される表示を生成するステップは、同一の相互作用要素に関与する相互作用の表現が同一色を使用して表される表示を生成することを含む、請求項１記載の方法。
【請求項１２】
前記の生成された表示の中の相互作用の表現のユーザ選択に、選択された要素と同一の相互作用要素を識別する相互作用の表現を同一色で表示させることによって応答するステップ、をさらに含む請求項１記載の方法。
【請求項１３】
前記一組の相互作用からの個々の相互作用が、順序付けにおける相互作用を定める第１の及び第２の相互作用要素の位置と該相互作用に関連する時間値とに対応する座標をつなぐ線として表示される表示を生成することによって、前記順序付けのユーザ識別に応答するステップ、をさらに含む請求項１記載の方法。
【請求項１４】
相互作用要素の前記最初の順序付けは、
相互作用要素が相互作用すると示される回数、
相互作用要素に関与する相互作用に関連する最も早い又は平均のタイミング、
前記一組の相互作用の中の相互作用に対応する相互作用要素のペアの相対的位置の間の距離を最小化する順序付け、
前記一組の相互作用の中の相互作用に対応する相互作用要素のペアの相対的位置の間の距離の標準偏差を最小化する順序付け、及び
前記一組の相互作用の中の相互作用に対応する相互作用要素のペアの相対的位置の間の距離の標準偏差と相互作用のグループ間の視覚的重なりの範囲とを最小化する順序付け
のいずれかに基づく順序付けを含む、請求項１記載の方法。
【請求項１５】
ある時間にわたり発生する相互作用の数を表す表示を生成する方法であって、
一組の相互作用を定めるデータを受信するステップであり、前記相互作用の各々は第１の及び第２の相互作用要素と時間値とを識別する、ステップと、
前記の受信したデータにより識別される相互作用要素のための最初の順序付けを決定するステップと、
前記最初の順序付けを反復的に変更して費用関数を最小化するステップであり、前記費用関数は、前記一組の相互作用の中の相互作用に対応する相互作用要素のペアの相対的位置の間の前記順序付けにおける距離のための距離値の標準偏差を示す第１の費用関数と視覚的重なりの測定値を示す第２の費用関数との加重和を含み、前記第１の及び第２の費用関数に割り当てられる相対的重み付けはユーザ入力に応じて設定される、ステップと、
前記一組の相互作用からの個々の相互作用が、相互作用を定める第１の及び第２の相互作用要素の前記の決定された順序付けにおける位置と該相互作用に関連する時間値とに対応する座標をつなぐ線として表示される表示を生成するステップと、
を含む方法。
【請求項１６】
一組の相互作用を定めるデータを記憶するデータ記憶部であり、前記相互作用の各々は第１の及び第２の相互作用要素と時間値とを識別する、データ記憶部と、
前記データ記憶部に記憶されたデータを処理して、前記の記憶されたデータにより識別される相互作用要素のための順序付けを、前記データ記憶部に記憶された前記一組の相互作用の中の相互作用に対応する相互作用要素のペアの相対的位置の間の前記順序付けにおける距離のための算出された距離値に基づいて決定するよう動作可能な処理ユニットと、
一組の相互作用からの個々の相互作用が、前記処理ユニットにより決定される相互作用要素の順序付けの中の相互作用を定める第１の及び第２の相互作用要素の位置と該相互作用に関連する時間値とに対応する座標をつなぐ線として表示される表示データを生成するよう動作可能な表示生成ユニットと、
を含み、
前記処理ユニットは、前記相互作用要素のための前記順序付けを、
前記の記憶されたデータにより識別される相互作用要素の最初の順序付けを決定することと、前記最初の順序付けを反復的に変更して、前記一組の相互作用の中の相互作用に対応する相互作用要素のペアの相対的位置の間の前記順序付けにおける距離のための算出された距離値に基づいて費用関数を最小化することであって、前記最初の順序付けを反復的に変更する動作は、前記最初の順序付けを反復的に変更して、前記一組の相互作用の中の相互作用に対応する相互作用要素のペアの相対的位置の間の前記順序付けにおける距離のための距離値の標準偏差と視覚的重なりの測定値とを示す費用関数を最小化することを含む、ことと、により決定する、
データ視覚化システム。
【請求項１７】
コンピュータ解釈可能命令を記憶した非一時的コンピュータ可読媒体であって、前記コンピュータ解釈可能命令は、コンピュータにより解釈されると、前記コンピュータに、
一組の相互作用を定めるデータを処理するステップであり、前記相互作用の各々は、第１の及び第２の相互作用要素と時間値とを識別して、前記データにより識別される相互作用要素のための順序付けを、前記一組の相互作用の中の相互作用に対応する相互作用要素のペアの相対的位置の間の前記順序付けにおける距離のための算出された距離値に基づいて決定する、ステップと、
前記一組の相互作用からの個々の相互作用が、相互作用を定める第１の及び第２の相互作用要素の前記の決定された順序付けにおける位置と該相互作用に関連する時間値とに対応する座標をつなぐ線として表示される表示データを生成するステップと、
を実行させ、
前記相互作用要素のための順序付けを決定することは、前記データにより識別される相互作用要素の順序付け最初の順序付けを決定することと、前記最初の順序付けを反復的に変更して、前記一組の相互作用の中の相互作用に対応する相互作用要素のペアの相対的位置の間の前記順序付けにおける距離のための算出された距離値に基づいて費用関数を最小化することであって、前記費用関数は、前記一組の相互作用の中の相互作用に対応する相互作用要素のペアの相対的位置の間の前記順序付けにおける距離のための距離値の標準偏差を示す第１の費用関数と視覚的重なりの測定値を示す第２の費用関数との加重和を含み、前記第１の及び第２の費用関数に割り当てられる相対的重み付けはユーザ入力に応じて設定される、ことと、を含む、
非一時的コンピュータ可読媒体。
【請求項１８】
一組の相互作用を定めるデータを記憶するデータ記憶部であり、前記相互作用の各々は第１の及び第２の相互作用要素と時間値とを識別する、データ記憶部と、
前記データ記憶部に記憶されたデータを処理して、前記の記憶されたデータにより識別される相互作用要素のための順序付けを、前記データ記憶部に記憶された前記一組の相互作用の中の相互作用に対応する相互作用要素のペアの相対的位置の間の前記順序付けにおける距離のための算出された距離値に基づいて決定するよう動作可能な処理ユニットと、
一組の相互作用からの個々の相互作用が、前記処理ユニットにより決定される相互作用要素の順序付けの中の相互作用を定める第１の及び第２の相互作用要素の位置と該相互作用に関連する時間値とに対応する座標をつなぐ線として表示される表示データを生成するよう動作可能な表示生成ユニットと、
を含み、
前記処理ユニットは、前記相互作用要素のための前記順序付けを、前記の記憶されたデータにより識別される相互作用要素の最初の順序付けを決定することと、前記最初の順序付けを反復的に変更して、前記一組の相互作用の中の相互作用に対応する相互作用要素のペアの相対的位置の間の前記順序付けにおける距離のための算出された距離値に基づいて費用関数を最小化することであって、前記費用関数は、前記一組の相互作用の中の相互作用に対応する相互作用要素のペアの相対的位置の間の前記順序付けにおける距離のための距離値の標準偏差を示す第１の費用関数と視覚的重なりの測定値を示す第２の費用関数との加重和を含み、前記第１の及び第２の費用関数に割り当てられる相対的重み付けはユーザ入力に応じて設定される、ことと、により決定する、
データ視覚化システム。
【請求項１９】
コンピュータ解釈可能命令を記憶した非一時的コンピュータ可読媒体であって、前記コンピュータ解釈可能命令は、コンピュータにより解釈されると、前記コンピュータに、
一組の相互作用を定めるデータを処理するステップであり、前記相互作用の各々は、第１の及び第２の相互作用要素と時間値とを識別して、前記データにより識別される相互作用要素のための順序付けを、前記一組の相互作用の中の相互作用に対応する相互作用要素のペアの相対的位置の間の前記順序付けにおける距離のための算出された距離値に基づいて決定する、ステップと、
前記一組の相互作用からの個々の相互作用が、相互作用を定める第１の及び第２の相互作用要素の前記の決定された順序付けにおける位置と該相互作用に関連する時間値とに対応する座標をつなぐ線として表示される表示データを生成するステップと、
を実行させ、
前記相互作用要素のための順序付けを決定することは、前記データにより識別される相互作用要素の最初の順序付けを決定することと、前記最初の順序付けを反復的に変更して、前記一組の相互作用の中の相互作用に対応する相互作用要素のペアの相対的位置の間の前記順序付けにおける距離のための算出された距離値に基づいて費用関数を最小化することであって、前記最初の順序付けを反復的に変更する動作は、前記最初の順序付けを反復的に変更して、前記一組の相互作用の中の相互作用に対応する相互作用要素のペアの相対的位置の間の前記順序付けにおける距離のための距離値の標準偏差と視覚的重なりの測定値とを示す費用関数を最小化することを含む、ことと、を含む、
非一時的コンピュータ可読媒体。